(57)【要約】【課題】携帯用ディスプレイ機器動作装置及び方法、より詳細には携帯用ディスプレイ機器を動作させる電源がバッテリの場合にバックライトの明るさを調整して携帯用ディスプレイ機器の消費電力を減らす装置及び方法を提供する。【解決手段】消費電力低減装置は携帯用ディスプレイ機器において、前記携帯用ディスプレイ背面に光を供給するバックライトと、前記携帯用ディスプレイ機器を動作させる電源をチェックして一定時間前記電源の電圧が下がっているか否かを判断する判断手段と、一定時間前記電源の電圧が下がる場合、前記バックライトの明るさが一定に保持さるべく前記バックライトを駆動する電流を制御するバックライト駆動制御手段とを含む。【選択図】　図２
2004062174.tif 000002
【特許請求の範囲】
【請求項１】
携帯用ディスプレイ内の消費電力を低減する装置において、
前記携帯用ディスプレイ機器の背面に光を供給するバックライトと、
前記携帯用ディスプレイ機器を動作させる電源をチェックして一定時間前記電源の電圧が下がっているか否かを判断する判断手段と、
一定時間前記電源の電圧が下がっている場合、前記バックライトの明るさが一定に保持さるべく前記バックライトを駆動する電流を制御するバックライト駆動制御手段と
を含むことを特徴とする消費電力低減装置。
【請求項２】
前記バックライト駆動制御手段は、
一定時間前記電源の電圧が下がっている場合、前記バックライトの明るさが一定に保持さるべく明るさ調整信号を出力する明るさ調整部と、
前記明るさ調整信号により前記バックライトの明るさが一定に保持さるべく前記バックライトの駆動電流を変換させて出力するバックライト駆動部と
を含むことを特徴とする請求項１に記載の消費電力低減装置。
【請求項３】
前記バックライト駆動制御手段にて保持される一定の明るさ及び電流は常に一定電圧を提供する電源から提供される基準明るさ及び基準電流であることを特徴とする請求項１に記載の消費電力低減装置。
【請求項４】
携帯用ディスプレイ機器を動作時に消費電力を低減する方法において、
（ａ）前記携帯用ディスプレイ機器を動作させる電源をチェックして一定時間、前記電源の電圧が下がっているか否かを判断する段階と、
（ｂ）前記判断結果により前記機器のディスプレイ背面に光を供給するバックライトの明るさを一定に保持するために前記バックライトを駆動する電流を一定に制御する段階と
を含むことを特徴とする消費電力低減方法。
【請求項５】
前記（ｂ）段階にて一定に保持されるバックライトの明るさ及び駆動電流は、常に一定電圧を提供する電源から提供する基準明るさ及び電流であることを特徴とする請求項４に記載の消費電力低減方法。
【請求項６】
一定時間前記電源の電圧が下がる場合、
（ｂ−１ａ）前記バックライトの明るさが一定に保持さるべく明るさ調整信号を出力する段階と、
（ｂ−２ａ）前記明るさ調整信号により前記バックライトの明るさが一定に保持さるべく駆動電流を変換させる段階と
を含むことを特徴とする請求項４に記載の消費電力低減方法。
【請求項７】
一定時間前記電源の電圧が一定の場合、
（ｂ−１ｂ）現在の明るさを保持するバックライト明るさ調整信号を出力する段階と、
（ｂ−２ｂ）前記明るさ調整信号によりバックライト駆動電流を保持する段階と
を含むことを特徴とする請求項４に記載の消費電力低減方法。
【発明の詳細な説明】
【０００１】
【発明の属する技術分野】
本発明は携帯用ディスプレイ機器動作装置及び方法に係り、より詳細には携帯用ディスプレイ機器を動作させる電源がバッテリの場合にバックライトの明るさを調整して携帯用ディスプレイ機器の消費電力を減らす装置及び方法に関する。
【０００２】
【従来の技術】
携帯用ディスプレイ機器の需要が多くなりつつ、使用時間と直結される低電力への関心が高まっている。特に、画面を提供する携帯用ディスプレイ機器の場合、大部分のディスプレイはＬＣＤ（Ｌｉｑｕｉｄ　Ｃｒｙｓｔａｌ　Ｄｉｓｐｌａｙ）を採用している。ところで、ＬＣＤは消費電力がかなり多いために低消費電力を要求する携帯用ディスプレイ機器と相反する面がある。従って、ＬＣＤ消費電力のち最も大きい比重を占めるバックライトの明るさを調整するインバータ制御技術は必須である。携帯用ディスプレイ機器を駆動する電源がＤＣ（Ｄｉｒｅｃｔ　Ｃｕｒｒｅｎｔ）ジャックである時は消費電力が多くても特別な無理がない。しかし、携帯用ディスプレイ機器を駆動する電源がバッテリである場合には消費電力を減らす必要がある。
【０００３】
図１は従来のバックライト駆動装置の構成を示すブロック図であり、明るさ調整部１００、インバータ１０１、トランスフォーマ１０２、バックライト１０３−１を含むＬＣＤ１０３より構成される。インバータ１０１は入力される明るさ調整信号によりＰＷＭ（Ｐｕｌｓｅ　Ｗｉｄｅ　Ｍｏｄｕｌａｔｉｏｎ）、ＰＦＭ（Ｐｕｌｓｅ　Ｆｒｅｑｕｅｎｃｙ　Ｍｏｄｕｌａｔｉｏｎ）波形を作ってトランスフォーマ１０２に供給する。バックライト１０３−１はＬＣＤ１０３画面がよく見られるようにＬＣＤ１０３パネル背面に光を照らす。トランスフォーマ１０２はインバータ１０１から出力されるＰＷＭ波形でバックライト１０３−１に電源を供給する。明るさ調整部１００は入力されるＶｃｃを可変抵抗ＶＲ１で調整して明るさ調整電圧信号をインバータ１０１に出力する。
【０００４】
インバータ１０１は印加電圧Ｖｃｃが下がれば、出力されるＰＷＭ周波数が下がってデューティ比が相対的に大きくなり、結局バックライト１０３−１に流れる電流量が増える特性がある。バッテリは普通ＤＣジャックと同じか低い電圧を使用し、バッテリを使用する時は、電圧がさらに下がる。従って、ＤＣジャックを使用する時よりバッテリを使用する場合、バックライト１０３−１に流れる電流量が多くなり、それはバッテリの使用時間を短くする。
【０００５】
【発明が解決しようとする課題】
本発明がなそうとする技術的な課題は、携帯用ディスプレイ機器を駆動する電源がバッテリの場合にバックライトの明るさを調整して消費電力を減らす消費電力低減装置を提供するところにある。
本発明がなそうとする他の技術的な課題は、携帯用ディスプレイ機器を駆動する電源がバッテリの場合にバックライトの明るさを調整して消費電力を減らす消費電力低減方法を提供するところにある。
【０００６】
【課題を解決するための手段】
本発明がなそうとする技術的な課題を解決するための消費電力低減装置は携帯用ディスプレイ機器において、前記携帯用ディスプレイ背面に光を供給するバックライトと、前記携帯用ディスプレイ機器を動作させる電源をチェックして一定時間前記電源の電圧が下がっているか否かを判断する判断手段と、一定時間前記電源の電圧が下がる場合、前記バックライトの明るさが一定に保持さるべく前記バックライトを駆動する電流を制御するバックライト駆動制御手段とを含むことが望ましい。
【０００７】
本発明において、前記バックライト駆動制御手段は一定時間前記電源の電圧が下がる場合、前記バックライトの明るさが一定に保持さるべく明るさ調整信号を出力する明るさ調整部と、前記明るさ調整信号により前記バックライトの明るさが一定に保持さるべく前記バックライトの駆動電流を変換させて出力するバックライト駆動部とを含むことが望ましい。
本発明において、前記バックライト駆動制御手段にて保持される一定の明るさ及び電流は常に一定電圧を提供する電源から提供する基準明るさ及び基準電流であることを特徴とする。
【０００８】
本発明がなそうとする他の技術的な課題を解決するための消費電力低減方法は携帯用ディスプレイ機器を動作する方法において、（ａ）前記携帯用ディスプレイ機器を動作させる電源をチェックして一定時間前記電源の電圧が下がっているか否かを判断する段階と、（ｂ）前記判断結果により前記機器のディスプレイ背面に光を供給するバックライトの前記バックライトの明るさを一定に保持するために前記バックライトを駆動する電流を一定に制御する段階とを含むことが望ましい。
【０００９】
本発明において、前記（ｂ）段階にて一定に保持されるバックライトの明るさ及び駆動電流は常に一定電圧を提供する電源から提供する基準明るさ及び電流であることを特徴とする。
本発明において、一定時間前記電源の電圧が下がる場合、（ｂ−１ａ）前記バックライトの明るさが一定に保持さるべく明るさ調整信号を出力する段階と、（ｂ−２ａ）前記明るさ調整信号により前記バックライトの明るさが一定に保持さるべく駆動電流を変換させる段階とを含むことを特徴とする。
【００１０】
本発明において、一定時間前記電源の電圧が一定の場合、（ｂ−１ｂ）現在の明るさを保持するバックライト明るさ調整信号を出力する段階と、（ｂ−２ｂ）前記明るさ調整信号によりバックライト駆動電流を保持する段階とを含むことを特徴とする。
【００１１】
【発明の実施の形態】
以下、添付された図面を参照して本発明を詳細に説明する。
図２は本発明による消費電力低減装置の構成を示すブロック図であり、ビデオソースディバイス２００、スケーラ２０１、タイミング制御部２０２、バックライト２０３−１を含むＬＣＤ２０３、ユーザインタフェース制御部２０４、バッテリ感知部２０５、明るさ調整部２０６、インバータ２０７、トランスフォーマ２０８より構成される。
【００１２】
図３は図２のうち明るさ調整部２０６及びバッテリ感知部２０５の詳細図である。
図４は図２を説明するための波形図である。
図５は本発明による消費電力低減方法の動作を示すフローチャートであり、バッテリが感知されたか否かを判断する段階（５００）、バッテリイネーブル信号をハイ（ｈｉｇｈ）に出力する段階（５０１）、バックライトの明るさを一定に保持しつつバックライトの駆動電流を弱める段階（５０２）、バッテリイネーブル信号をロー（ｌｏｗ）に出力する段階（５０３）、バックライトの明るさを現在状態に保持しつつバックライト駆動電流を保持する段階（５０４）、バックライトを駆動する段階（５０５）より構成される。
【００１３】
次に、図２ないし５を参照して本発明を詳細に説明する。
ビデオソースディバイス２００はビデオソースを発生してディスプレイできる信号に処理する。ビデオソースディバイス２００はＤＶＤプレーヤ、カムコーダ、ノート型パソコンなどのビデオプロセッサと言える。
スケーラ２０１はビデオソースディバイス２００から出力されるビデオ信号をＬＣＤ２０３のスケールに合うように調整する。
【００１４】
タイミング制御部２０２はスケーラ２０１から出力されるビデオ信号をホールドしていてＬＣＤ２０３に出力する。
ユーザインタフェース制御部２０４はユーザと携帯用ディスプレイ機器間のインタフェースのためのフロントキー、リモコンキー受信及び再生時間など再生情報をＦＬＴ（Ｆｌｕｏｒｅｓｃｅｎｃｅ　Ｌｉｇｈｔ　Ｔｕｂｅ）（図示せず）にディスプレイする。ユーザインタフェース制御部２０４は携帯用ディスプレイ機器の動作電源がＤＣジャックであるのかバッテリであるのか判断する。携帯用ディスプレイ機器の電源がＤＣジャックである場合、電源電圧が常に一定であり、携帯用ディスプレイ機器の電源がバッテリである場合、電源電圧が経時的に下がる。従って、ユーザインタフェース制御部２０４は一定時間電源電圧をチェックして携帯用ディスプレイ機器の電源がＤＣジャックであるのかバッテリであるのか判断できる。
【００１５】
バッテリ感知部２０５はユーザインタフェース制御部２０４から出力される判断信号（携帯用ディスプレイ機器の電源がＤＣジャックであるのかバッテリであるのか判断した信号）を感知して明るさ調整部２０６の出力を制御する。
明るさ調整部２０６は、バックライトの明るさ調整信号を、バッテリ感知部２０５から出力される判断信号に比例するように設定して出力する。明るさ調整部２０６は図３に示されたようにＶｃｃを可変抵抗ＶＲ１で調整して明るさ調整信号を出力する。バッテリ感知部２０５がバッテリ判断信号を出力すれば、バックライト２０３−１駆動電流が上昇するために、明るさ調整部２０６は、ＤＣジャックである状態のバックライト２０３−１駆動電流にまで減らした明るさ調整信号を出力する。バッテリ感知部２０５がＤＣジャック判断信号を出力すれば、明るさ調整部２０６はバックライト２０３−１の明るさ及び駆動電流を現在状態に保持する。
【００１６】
インバータ２０７は明るさ調整部２０６から出力される明るさ調整信号によりバックライト２０３−１の明るさを調整するＰＷＭ周波数を発生してトランスフォーマ２０８に出力する。インバータ２０７は印加電圧Ｖｃｃが下がれば、出力されるＰＷＭ周波数が下がってデューティ比が相対的に大きくなり、電流量が多くなる特性がある。また、インバータ２０７はバックライト２０３−１の状態をチェックし、過電流によりセットが損傷されることを防ぐシャットダウン機能を行う。
【００１７】
トランスフォーマ２０８はインバータ２０７から出力されるＰＷＭ周波数を変換してバックライト２０３−１を動作させる。
図３を参照すれば、携帯用ディスプレイ機器の電源がバッテリである場合、ユーザインタフェース制御部２０４はバッテリ判断信号をバッテリ感知部２０５に出力する。バッテリ感知部２０５はバッテリイネーブル信号をハイに出力する。バッテリイネーブル信号がハイになれば、ＴＲ１がターンオンされ、バックライト２０３−１明るさ調整のためにＶｃｃはＲ２／／（Ｒ１，ＶＲ１，Ｒ３）と分配されて出力される。結局、インバータ２０７に出力されるバックライト２０３−１の明るさはＤＣジャックの場合と同じになる。すなわち、明るさ調整部２０６の明るさ信号調整により電源がバッテリである場合、バックライト２０３−１の明るさはＤＣジャックである時と同じである。明るさ調整部２０６にてＤＣジャックの場合に調整されたバックライト２０３−１調整信号はインバータ２０７に出力され、インバータ２０７は調整されたバックライト明るさ調整信号により、バックライト２０３−１の明るさ信号であるＰＷＭ周波数のデューティ比を安定的に下げて出力する。ＰＷＭ周波数のデューティ比が安定的に下がれば、バックライト２０３−１の駆動電流が弱まって消費電力が減り、バックライト２０３−１の明るさは電源がＤＣジャックである時と同じ明るさを保持する。
【００１８】
ところで、ユーザインタフェース制御部２０４からＤＣジャック判断信号が入力されれば、バッテリ感知部２０６はバッテリイネーブル信号をローに出力する。バッテリイネーブル信号がローになれば、ＴＲ１がターンオフされ、バックライト２０３−１の明るさ調整のためにＶｃｃは以前に調整された可変抵抗ＶＲ１により変換されるが、結局インバータ２０７に出力されるバックライト２０３−１明るさ調整信号は現在の状態（ＤＣジャックの状態）に保持される。現在の状態に保持されたバックライト２０３−１駆動電流はインバータ２０７に出力され、インバータ２０７は明るさ調整信号により設計スペック基準内の安定したデューティ比を有するＰＷＭ波形を出力する。
【００１９】
図４を参照すれば、図４（ａ）は携帯用ディスプレイ機器の動作電源がＤＣジャックである場合、インバータ２０７から発生するＰＷＭ波形を示す。図４（ａ）に示されたＰＷＭ波形は、そのデューティ比が設計スペック基準内で安定的である。
図４（ｂ）は携帯用ディスプレイ機器の動作電源がバッテリである場合にインバータ２０７から発生するＰＷＭ波形を示す。携帯用ディスプレイ機器の動作電源がバッテリである場合、時間が経過するほど電源電圧が除々に下がる。インバータ２０７は入力電圧が下がれば、出力されるＰＷＭ周波数が下がってデューティ比が相対的に大きくなり、結局バックライト２０３−１に流れる電流量が増える特性がある。従って、インバータ２０７から出力されるＰＷＭ周波数はさらに下がってデューティ比率が相対的に大きくなり、バックライト２０３−１の消費電力が増える。
【００２０】
図４（ｃ）は携帯用ディスプレイ機器の動作電源がバッテリである場合、消費電力を低減する装置を適用した後にインバータ２０７から発生するＰＷＭ波形を示す。図３にてバッテリイネーブル信号がハイになれば、ＴＲ１がターンオンされ、バックライト２０３−１の明るさ調整のためにＶｃｃはＲ２／／（Ｒ１，ＶＲ１，Ｒ３）と分配されて出力される。結局、インバータ２０７に出力されるバックライト２０３−１の明るさはＤＣジャックである場合と同じになる。すなわち、明るさ調整部２０６の明るさ信号調整により電源がバッテリである場合、バックライト２０３−１の明るさはＤＣジャックである時と同じである。明るさ調整部２０６にてＤＣジャックである場合に調整されたバックライト２０３−１調整信号はインバータ２０７に出力され、インバータ２０７は調整されたバックライト明るさ調整信号により、バックライト２０３−１の明るさ信号のＰＷＭ周波数のデューティ比を安定的に下げて出力する。ＰＷＭ周波数のデューティ比が安定的に下がれば、バックライト２０３−１の駆動電流が弱まって消費電力が減り、バックライト２０３−１の明るさは電源がＤＣジャックである時と同じ明るさを保持する。
【００２１】
図５を参照して消費電力低減方法を説明すれば、バッテリが感知されたか否かを判断する（５００段階）。携帯用ディスプレイ機器の電源がＤＣジャックである場合に電源電圧が常に一定であり、携帯用ディスプレイ機器の電源がバッテリである場合に電源電圧が経時的に下がる。従って、ユーザインタフェース制御部２０４は、一定時間電源電圧をチェックして携帯用ディスプレイ機器の電源がＤＣジャックであるのかバッテリであるのか判断できる。
【００２２】
携帯用ディスプレイ機器の動作電源がバッテリであると判断されれば、バッテリ感知部２０５はバッテリイネーブル信号をハイに出力し、明るさ調整部２０６はバックライト２０３−１の明るさをＤＣジャックの状態に保持するために明るさ調整信号を変換する（５０１、５０２段階）。携帯用ディスプレイ機器の動作電源がバッテリであると判断されれば、バッテリ感知部２０５はバッテリイネーブル信号をハイに出力する。バッテリイネーブル信号がハイになれば、ＴＲ１がターンオンされ、バックライト２０３−１の明るさ調整のためにＶｃｃはＲ２／／（Ｒ１，ＶＲ１，Ｒ３）と分配されて出力される。結局、インバータ２０７に出力されるバックライト２０３−１の明るさはＤＣジャックの場合と同じになる。すなわち、明るさ調整部２０６の明るさ信号調整により電源がバッテリの場合にバックライト２０３−１の明るさはＤＣジャックである時と同じである。明るさ調整部２０６にてＤＣジャックである場合に調整されたバックライト２０３−１調整信号はインバータ２０７に出力され、インバータ２０７は調整されたバックライト明るさ調整信号により、バックライト２０３−１の明るさ信号であるＰＷＭ周波数のデューティ比を安定的に下げて出力する。ＰＷＭ周波数のデューティ比が安定的に下がれば、バックライト２０３−１の駆動電流が弱まって消費電力が減り、バックライト２０３−１の明るさは電源がＤＣジャックである時と同じ明るさを保持する。
【００２３】
携帯用ディスプレイ機器の動作電源がＤＣジャックであると判断されれば、バッテリ感知部２０５はバッテリイネーブル信号をローに出力し、明るさ調整部２０６はバックライト２０３−１の明るさを現在の状態に保持しつつバックライト２０３−１駆動電流を保持する（５０３、５０４段階）。ユーザインタフェース制御部２０４からＤＣジャック判断信号が入力されれば、バッテリ感知部２０６はバッテリイネーブル信号をローで出力する。バッテリイネーブル信号がローになれば、ＴＲ１がターンオフされ、バックライト２０３−１の明るさ調整のためにＶｃｃは以前に調整された可変抵抗ＶＲ１により変換されるが、結局インバータ２０７に出力されるバックライト２０３−１駆動電流は、現在の状態に保持される。現在の状態に保持されたバックライト２０３−１明るさ調整信号はインバータ２０７に出力され、インバータ２０７は明るさ調整信号により設計スペック基準内の安定したデューティ比を有するＰＷＭ波形を出力する。
【００２４】
インバータ２０７から出力されるＰＷＭ波形は、トランスフォーマ２０８にてバックライト駆動電力に変換されてバックライトを駆動させる（５０５段階）。携帯用ディスプレイ機器の動作電源がバッテリであると判断されれば、バックライト２０３−１の明るさはＤＣジャックの状態に保持しつつ、バックライト２０３−１の駆動電流が弱まって消費電力が減る。携帯用ディスプレイ機器の動作電源がＤＣジャックであると判断されれば、バックライト２０３−１の明るさ及び駆動電流が現在の状態に保持される。
本発明は前述の実施形態に限定されずに本発明の思想内で当業者による変形が可能であることはもちろんである。
【００２５】
【発明の効果】
前述のように本発明によれば、携帯用ディスプレイ機器を動作させる電源がバッテリである場合、ＬＣＤ消費電力のうち最も大きい比重を占めるバックライトの明るさを調整して消費電力を減らすことにより、バッテリの使用時間を延長できる効果が創出される。
【図面の簡単な説明】
【図１】従来のバックライト駆動装置の構成を示すブロック図である。
【図２】本発明による消費電力低減装置の構成を示すブロック図である。
【図３】図２のうち明るさ調整部及びバッテリ感知部の詳細図である。
【図４】図２を説明するための波形図である。
【図５】本発明による消費電力低減方法の動作を示すフローチャートである。
【符号の説明】
２００…ビデオソース
２０１…スケーラ
２０２…タイミング制御器
２０３…ＬＣＤ
２０３−１…バックライト
２０４…ユーザインターフェース制御部
２０５…バッテリ感知部
２０６…明るさ調整部
２０７…インバータ
２０８…トランスフォーマ
【図１】
2004062174.tif 000003
【図２】
2004062174.tif 000004
【図３】
2004062174.tif 000005
【図４】
2004062174.tif 000006
【図５】
2004062174.tif 000007